(57)【特許請求の範囲】
【請求項１】
モニタを有する試聴機と、該試聴機で再生すべき試聴用データが記録されているサーバとを用い、顧客によって指定された音楽記録媒体の試聴用データを再生する音楽記録媒体試聴方法において、
顧客から音楽記録媒体の指定を受けた試聴機が、指定された音楽記録媒体の試聴用データと、該試聴用データの再生動作を制御する実行プログラムとを、サーバに対して要求するステップと、
該要求を受けたサーバが試聴機へ各音楽記録媒体ごとに前記モニタ上の画面レイアウトが異なるように作成され、または各音楽記録媒体ごとに試聴機において顧客が操作する操作部の操作方法が異なるように作成された実行プログラムと試聴用データとを送信するステップと、
サーバから送信されてきた実行プログラムと試聴用データを受信した試聴機が、前記実行プログラムによる再生動作に従って前記試聴用データを再生するステップとを含むことを特徴とする音楽記録媒体試聴方法。
【請求項２】
モニタを有する試聴機と、該試聴機で再生すべき試聴用データが記録されているサーバとを用い、顧客によって指定された音楽記録媒体の試聴用データを再生する音楽記録媒体試聴方法において、
該顧客から音楽記録媒体の指定を受けた試聴機が、指定された音楽記録媒体の試聴用データの再生動作を制御する実行プログラムを、サーバに対して要求するステップと、
該要求を受けたサーバが試聴機へ各音楽記録媒体ごとに前記モニタ上の画面レイアウトが異なるように作成され、または各音楽記録媒体ごとに試聴機において顧客が操作する操作部の操作方法が異なるように作成された実行プログラムを送信するステップと、
サーバーから送信されてきた実行プログラムを受信した試聴機が、前記実行プログラムに記述されている試聴用データを、サーバーに対して要求するステップと、
該要求を受けたサーバが試聴機へ試聴用データを送信するステップと、
前記実行プログラムによる再生動作に従って前記試聴用データを再生するステップとを含むことを特徴とする音楽記録媒体試聴方法。
【請求項３】
顧客が試聴したい音楽記録媒体を指定することができる指定手段と、該指定手段により指定された音楽記録媒体に対応する試聴用データを再生する再生手段と、モニタとを有する試聴機を具備する音楽記録媒体試聴システムにおいて、
試聴機と通信回線によって接続され、
各音楽記録媒体の試聴用データの再生動作を制御し、各音楽記録媒体ごとに前記モニタ上の画面レイアウトが異なるように作成され、または各音楽記録媒体ごとに試聴機において顧客が操作する操作部の操作方法が異なるように作成された実行プログラムが記録されている第１の記憶手段と、
各音楽記録媒体の試聴用データが記録されている第２の記憶手段と、
前記試聴機の指定手段によって指定された音楽記録媒体に対応する前記実行プログラムを前記第１の記憶手段から、および前記試聴用データを第２の記憶手段から検索する検索手段と、
前記検索された実行プログラムおよび試聴用データを試聴機へ送信する送信手段とを有するサーバを設け、
前記試聴機には、
前記サーバから送信されてきた実行プログラムを記録する第３の記憶手段と、
前記サーバから送信されてきた試聴用データを記録する第４の記憶手段と、
該第３の記憶手段から実行プログラムを抽出して実行し、実行プログラムに基づいて、前記再生手段に第４の記憶手段に記録された試聴用データの再生をさせる制御手段とを設けたことを特徴とする音楽記録媒体試聴システム。
【発明の詳細な説明】
【０００１】
【発明の属する技術分野】
本発明は、音声データを記録した音楽記録媒体を販売するために、音楽記録媒体に記録されている音楽データを顧客に試聴させる音楽記録媒体試聴方法および音楽記録媒体試聴システムに関し、さらに詳細には、試聴機とサーバとから成り、試聴機は、顧客が指定する音楽記録媒体に対応する試聴用のデータをサーバからダウンロードして再生する音楽記録媒体試聴方法および音楽記録媒体試聴システムに関する。
【０００２】
【従来の技術】
ＣＤ（コンパクトディスク）に代表されるような音楽が記録された音楽記録媒体においては、小売店舗において、その音楽記録媒体に記録された曲を試聴してから購入することができるようなシステムが開発されている。
以下、従来から知られている音楽記録媒体試聴方法およびシステムの概要について、特開平１０−３１２０５２号公報に記載されたシステムに基づいて説明していく。
【０００３】
図９に、従来のシステムの全体構成を表すブロック図を示す。
このシステムでは、各音楽記録媒体に対応する試聴用データが記録されているセンターサーバ１２と、センターサーバ１２に回線網１３を介して接続された複数のローカルシステム部１４、１４・・と、これらセンターサーバ１２とローカルシステム部１４と回路網１３を介して接続された複数の試聴販売端末部１６、１６・・とが設けられている。
【０００４】
ローカルシステム部１４内には、ローカルサーバ１７と、ローカルサーバ１７に複数台接続された試聴端末部１８、１８・・とを備えている。ローカルサーバは、接続された各試聴端末部１８、１８・・に対して試聴用データの配信を行なっている。
【０００５】
また、ローカルシステム部１４から独立して設けられている試聴販売端末部１６、１６・・は、顧客が指定した音楽記録媒体の試聴をすることができ、且つ無人で音楽記録媒体の販売を行なうことができる装置である。
この試聴販売端末部１６、１６・・は、センターサーバ１２から試聴用データの配信が行なわれる。
【０００６】
また、顧客が自ら試聴したい音楽記録媒体を指定するために、試聴端末部１８および試聴販売端末部１６共にバーコードリーダ（図示せず）が設けられている。
顧客は、試聴したい音楽記録媒体があればその音楽記録媒体に付されているバーコードをバーコードリーダに読み取らせることで、試聴したい音楽記録媒体を指定することができるのである。
【０００７】
以下、ローカルシステム部１４内の試聴端末部１８における試聴方法について簡単に説明する。
まず、顧客は試聴したい音楽記録媒体を、複数ある試聴端末部１８、１８・・のいずれかの試聴用端末部１８まで持ってきて、その音楽記録媒体に付いているバーコードを試聴端末部１８のバーコードリーダに読み取らせる。
バーコードリーダで読み取られたバーコード情報は、ローカルサーバ１７に送信される。ローカルサーバ１７では、読み取られたバーコード情報に対応する試聴用データを検索し、検索した試聴用データを顧客が操作している試聴用端末部１８に配信する。
【０００８】
なお、ローカルサーバ１７内に、対応する試聴用データが存在しない場合もある。かかる場合には、ローカルサーバ１７はセンターサーバ１２に対して対応する試聴用データの配信を要求する。
【０００９】
試聴用端末部１７では、試聴用データが配信されてくると、選択された音楽記録媒体に関連する画像（試聴用データ内に含まれている）を表示し、その音楽記録媒体に収録されている曲目リスト（試聴用データ内に含まれている）を表示する。
顧客は、表示されている曲目リストのうちから試聴したい曲目を選択する。そして試聴用端末部は、選択された曲目（試聴用データ内に含まれている）を再生するのである。
【００１０】
【発明が解決しようとする課題】
上述してきた音楽記録媒体試聴方法およびシステムにおいては、画面のレイアウトなどはすべて試聴機内に予め組み込まれている実行プログラムによって設定されており、全ての音楽記録媒体について常に同一の画面レイアウトによって画像が表示されていた。
このため、画面レイアウトを、各音楽記録媒体によってそれぞれ異なるものに変更することができないという課題があった。
【００１１】
また、従来の音楽記録媒体試聴方法およびシステムでは、試聴機に設けられている再生キー、テンキー、ファンクションキー等の操作部の操作方法についても、試聴機内に予め組み込まれている実行プログラムによって設定されており、どのような音楽を再生している場合であっても操作部の操作方法は常に一定であった。
このため、操作部の操作方法も、各音楽記録媒体によってそれぞれ異なるものに変更したいという課題もあった。
【００１２】
さらに、従来の音楽記録媒体試聴方法およびシステムでは、例えば店舗毎に様々に異なる画像の表示方法を採用すべく試聴機の設定をカスタマイズしようとすると、各試聴機内に組み込まれている実行プログラムを１台ずつ書き換えなくてはならないため、手間がかかるという課題があった。
【００１３】
そこで、本発明は上記課題を解決すべくなされ、その目的とするところは、画面のレイアウトや操作部の設定を各音楽記録媒体ごとに異なる設定とすることができ、表示内容の変更などのカスタマイズを手間をかけずに行なうことができる音楽記録媒体試聴方法および音楽記録媒体試聴システムを提供することにある。
【００１４】
【課題を解決するための手段】
すなわち、本発明にかかる音楽記録媒体試聴方法によれば、モニタを有する試聴機と、該試聴機で再生すべき試聴用データが記録されているサーバとを用い、顧客によって指定された音楽記録媒体の試聴用データを再生する音楽記録媒体試聴方法において、顧客から音楽記録媒体の指定を受けた試聴機が、指定された音楽記録媒体の試聴用データと、該試聴用データの再生動作を制御する実行プログラムとを、サーバに対して要求するステップと、該要求を受けたサーバが試聴機へ各音楽記録媒体ごとに前記モニタ上の画面レイアウトが異なるように作成され、または各音楽記録媒体ごとに試聴機において顧客が操作する操作部の操作方法が異なるように作成された実行プログラムと試聴用データとを送信するステップと、サーバから送信されてきた実行プログラムと試聴用データを受信した試聴機が、前記実行プログラムによる再生動作に従って前記試聴用データを再生するステップとを含むことを特徴としている。
【００１５】
また、本発明の音楽記録媒体試聴方法によれば、モニタを有する試聴機と、該試聴機で再生すべき試聴用データが記録されているサーバとを用い、顧客によって指定された音楽記録媒体の試聴用データを再生する音楽記録媒体試聴方法において、該顧客から音楽記録媒体の指定を受けた試聴機が、指定された音楽記録媒体の試聴用データの再生動作を制御する実行プログラムを、サーバに対して要求するステップと、該要求を受けたサーバが試聴機へ各音楽記録媒体ごとに前記モニタ上の画面レイアウトが異なるように作成され、または各音楽記録媒体ごとに試聴機において顧客が操作する操作部の操作方法が異なるように作成された実行プログラムを送信するステップと、サーバーから送信されてきた実行プログラムを受信した試聴機が、前記実行プログラムに記述されている試聴用データを、サーバーに対して要求するステップと、該要求を受けたサーバが試聴機へ試聴用データを送信するステップと、前記実行プログラムによる再生動作に従って前記試聴用データを再生するステップとを含むことを特徴としている。
【００１６】
上述した各方法を採用することによって、試聴機には試聴用データを再生するための実行プログラムを予め搭載しておかなくともよく、試聴機はサーバから配信された実行プログラムに基づいて試聴用データの再生動作を行なう。
したがって、画面レイアウトをそれぞれの音楽に合わせて作成した実行プログラムを各音楽記録媒体ごとに作成しておけば、各音楽記録媒体ごとに様々な画面レイアウトを実現することが可能である。
また、試聴機の再生キーなどの操作部の操作方法も、各音楽記録媒体ごとに作成して実行プログラムに記述しておけば、それぞれの音楽に合わせた様々なものに変更できる。
さらに、各店舗ごとに実行プログラムの内容を変更したりするなどのカスタマイズをする場合には、１台のサーバに試聴機が複数台接続されていてもサーバ内の実行プログラムを変更すれば複数台の試聴機ごとにプログラムを変更する必要がないので、手間をかけずにカスタマイズ可能である。
【００１７】
本発明にかかる音楽記録媒体試聴システムによれば、顧客が試聴したい音楽記録媒体を指定することができる指定手段と、該指定手段により指定された音楽記録媒体に対応する試聴用データを再生する再生手段と、モニタとを有する試聴機を具備する音楽記録媒体試聴システムにおいて、試聴機と通信回線によって接続され、各音楽記録媒体の試聴用データの再生動作を制御し、各音楽記録媒体ごとに前記モニタ上の画面レイアウトが異なるように作成され、または各音楽記録媒体ごとに試聴機において顧客が操作する操作部の操作方法が異なるように作成された実行プログラムが記録されている第１の記憶手段と、各音楽記録媒体の試聴用データが記録されている第２の記憶手段と、前記試聴機の指定手段によって指定された音楽記録媒体に対応する前記実行プログラムを前記第１の記憶手段から、および前記試聴用データを第２の記憶手段から検索する検索手段と、前記検索された実行プログラムおよび試聴用データを試聴機へ送信する送信手段とを有するサーバを設け、前記試聴機には、前記サーバから送信されてきた実行プログラムを記録する第３の記憶手段と、前記サーバから送信されてきた試聴用データを記録する第４の記憶手段と、該第３の記憶手段から実行プログラムを抽出して実行し、実行プログラムに基づいて、前記再生手段に第４の記憶手段に記録された試聴用データの再生をさせる制御手段とを設けたことを特徴としている。
【００１８】
この構成を採用することによって、試聴機には試聴用データを再生するための実行プログラムを予め搭載しておかなくともよく、試聴機はサーバから配信された実行プログラムに基づいて試聴用データの再生動作を行なう。
したがって、画面レイアウトをそれぞれの音楽に合わせて作成した実行プログラムを各音楽記録媒体ごとに作成しておけば、各音楽記録媒体ごとに様々な画面レイアウトを実現することが可能である。
また、試聴機の再生キーなどの操作部の操作方法も、各音楽記録媒体ごとに作成して実行プログラムに記述しておけば、それぞれの音楽に合わせた様々なものに変更できる。
さらに、各店舗ごとに実行プログラムの内容を変更したりするなどのカスタマイズをする場合には、１台のサーバに試聴機が複数台接続されていてもサーバ内の実行プログラムを変更すれば複数台の試聴機ごとにプログラムを変更する必要がないので、手間をかけずにカスタマイズ可能である。
【００１９】
【発明の実施の形態】
以下、本発明の好適な実施の形態を添付図面に基づいて詳細に説明する。
まず、図１に本発明にかかる音楽記録媒体試聴システムの全体構成を示し、これに基づいてシステムの全体構成について説明する。
音楽記録媒体試聴システム２０（以下、単に試聴システムという）は、ＣＤなどの音楽記録媒体（以下、単に音楽メディアという）を販売する店舗に設置するためのシステムである。
【００２０】
試聴システム２０は、試聴用データが記録されているサーバ２２と、サーバ２２に通信回線１９によって接続されている複数台の試聴機２４とから構成されている。
サーバ２２は、店舗のバックヤード２３内に配置され、店舗の従業員しか操作できないように設けられている。
一方、複数台の試聴機２４は、店舗２７内のそれぞれ所定の位置に配置され、店舗に来店した顧客が利用することができるように設けられている。
符号２５はハブである。ハブ２５は、複数台の試聴機２４からの複数の通信回線１９を集線してサーバ２２に接続するようにしている。
【００２１】
次に、図１および図２に基づいて、サーバ２２の構成について説明する。
サーバ２２は、ＨＤＤ（ハードディスクドライブ）３４を有するサーバ本体３０と、表示手段たるモニタ３２と、キーボードやマウスなど（図示せず）の入力手段３１とを備えている。
サーバ本体３０に設けられているＨＤＤ３４が、特許請求の範囲にいう第１、第２、第５、第６、第７の記憶手段である。したがって、ＨＤＤ３４内には、試聴用データを再生する実行プログラム、音楽メディアの楽曲や画像から成る試聴用データ、試聴用データを再生していないときの試聴機の動作を制御するイニシャルプログラム、試聴していないときに自動的に流されるデモ用データ、店舗のお薦めの音楽メディアを紹介するお薦めデータなどが記録されている。
かかるＨＤＤ３４は、１台のサーバ２２に対し、複数台設けられていてもよい。
【００２２】
なお、本明細書中、試聴用データとは、楽曲データおよび画像データ両方を含む概念である。しかし、本来楽曲データと画像データはそれぞれ全く別個のデータであるので（本実施形態では、楽曲データはＭＰ３形式で、画像データはＪＰＥＧ形式でそれぞれＨＤＤ３４に格納されている）、両者がまとまって１つになったデータという意味で試聴用データという表現を用いているわけではない。
【００２３】
サーバ３０全体の動作はＣＰＵ３６によって制御される。ＣＰＵ３６は、図示しない記憶手段（ＲＯＭ）に予め記録されている制御プログラムに基づいて動作する。
なお、ＨＤＤ３４内のプログラムやデータ等の検索はこのＣＰＵ３６が行なうようにしている。このため、特許請求の範囲にいう検索手段とはここではＣＰＵ３６である。
符号３８は送受信部である。送受信部３８は、試聴機２４側と通信する通信回線１９が接続され、試聴機２４との間でのデータ通信を行なうことができるように設けられている。
【００２４】
次に、試聴機２４の構成について説明していく。
まず、図３に基づいて試聴機の外観構造について説明する。
符号４０は、例えばカラー液晶などから構成されるモニタである。モニタ４０には、試聴している音楽メディアのジャケット写真や現在流している曲目などが表示される。
符号４２はファンクションキーである。ファンクションキー４２は、後述するようなお薦め画面の呼び出し、次ページ／前ページの表示を選択することができるように設けられている。
テンキー４４は、お薦め画面においてタイトルの選択をすることができるように設けられている。
符号４６は、音量調節キーである。このキーを操作することで顧客は好みの音量で試聴することができる。
試聴中の音楽の再生・停止・ｆｗｄ・ｂａｃｋなどは再生関連キー４８で行なう。
また、試聴機２４の下部には、公知のバーコードリーダ５０が設けられている。バーコードリーダ５０に、バーコードをかざすことによってバーコードが読み取られる。
【００２５】
図４には試聴機の内部のブロック図を示している。
ＣＰＵ５２は、特許請求の範囲にいう制御手段である。このＣＰＵ５２は、図示しない記憶手段（ＲＯＭ）に予め記録されている制御プログラムに基づいて試聴機全体の動作を制御する。
指定手段５０は、顧客が試聴したい音楽メディアを指定する指定するための部位である。具体的には、上述したようにバーコードリーダである。
記憶手段５４は、ＲＡＭやハードディスクなどから構成され、サーバ２２から受信したプログラムやデータを一旦記録しておくために設けられている。
符号５６は送受信部である。送受信部５６は通信回線１９に接続され、サーバ２２との間でデータ通信を行えるように設けられている。
【００２６】
再生手段５８は、試聴用データの再生を行なう。具体的な再生手段としては、図２で説明したモニタ４０、およびスピーカ（図示せず）含めた概念である。
操作部５９は、顧客が操作できる部位全てを含む概念であり、図２で示した各種キーは、全てこの操作部５９に含まれるものである。
【００２７】
次に、図５に基づいて、本発明にかかる音楽記録媒体試聴方法についての概略を説明する。
なお、以下の説明では、試聴用データという説明ではなく、楽曲データと画像データとで別個のものとして説明していく。
【００２８】
まず、顧客は、試聴したい音楽メディア２１を試聴機２４のところへ持っていき、試聴機２４に設けられたバーコードリーダ５０に、音楽メディア２１に付されたバーコードを読み取らせる。
そして、読み取ったバーコードは、試聴機２４からサーバ２２へ通知される（１）。
サーバ２２では、バーコードに示された音楽メディア２１の楽曲データと画像データとを再生するための実行プログラムを試聴機２４へ送信する（２）。
試聴機２４では、サーバ２２から送信してきた実行プログラムを受信する。
【００２９】
試聴機２４では、受信した実行プログラム内に記述されている画像データのファイル名を読み取って、該当する画像データをサーバ２２へ要求する（３）。
サーバ２２では、試聴機２４からの画像データの要求を受け、対応する画像データを試聴機２４へ送信する（４）。
次に、試聴機２４では、さらに実行プログラムに記述されている楽曲データのファイル名を読み取って該当する楽曲データをサーバ２２へ要求する（５）。
サーバ２２では、試聴機２４からの要求を受け、対応する楽曲データを試聴機２４へ送信する（６）。
そして、試聴機２４は、受信した実行プログラムの制御に基づいて、画像データと楽曲データの再生を行なう。
【００３０】
上述したように、試聴時において、試聴機２４は、画像データおよび楽曲データだけでなく、それらを再生するための実行プログラムについてもサーバ２２から取り込むようにしている。
このため、サーバ２２内に予め記録されている実行プログラムを各音楽メディア毎に違うものを用いるようにすれば、画像再生時におけるモニタ上の画像レイアウトなども曲によって異なるようにすることができる。
【００３１】
また、実行プログラムをして試聴しているときに、操作部５９の操作を通常の通常の操作（試聴していないとき）と異なるような操作ができるようにしてもよい。この操作は、実行プログラムに記述され、試聴機が実行プログラムを動作させることによって制御されるようにする。
例えば試聴中において、ファンクションキー４４のいずれかを操作することで、画像の位置をモニタ４０上で移動させることができるようにすれば、顧客の試聴時の楽しみを増すことができる。
これらの操作は、各音楽メディアによって異なるような操作となるように実行プログラム上で設定すれば、各音楽メディアに合わせたキー操作も可能となる。
【００３２】
次に、音楽記録媒体試聴システムを用いた、店舗に訪れた顧客に対して音楽メディアの試聴をさせる音楽記録媒体試聴方法の一実施形態を、図６〜図８のフローチャートに基づいて説明する。
【００３３】
まず、試聴機２４の電源を入れると、試聴機２４のシステムが立ち上がる（ステップＳ１００）。
次いで、ステップＳ１０２において、試聴機２４はサーバ２２へイニシャルプログラムを要求する。
サーバ２２側では、試聴機２４からの要求を受けて、ステップＳ１０４とＳ１０６においてＨＤＤ３４内からイニシャルプログラムを検索し、検索したイニシャルプログラムを試聴機２４へ送信する。
【００３４】
ステップＳ１０８では、試聴機２４は、サーバ２２から送られてきたイニシャルプログラムを記憶手段５４に保存する。
次に、ステップＳ１１０に移行し、試聴機２４はサーバ２２へデモ用データの要求を行なう。
サーバ２２は、ステップＳ１１２、Ｓ１１４において、試聴機２４からのデモ用データの要求を受けて、デモ用データをＨＤＤ３４内から検索して試聴機２４へ送信する。
ステップＳ１１６では、試聴機２４がデモ用データを受信する。そして、ステップＳ１０８において、試聴機２４はＳ１０８で受信したイニシャルプログラムに基づいてデモ用データを再生する。
なお、ここでデモ用データとしては風景画等の静止画像、あるいは店舗からのお知らせなども含まれる。
【００３５】
デモ用データの再生は、試聴モードあるいはお薦めモードが実行されない場合には連続して行なわれる。
すなわち、ステップＳ１２０において、お薦めモードキーが押下された場合にはお薦めモードのＡへ移行するが、押下されていない場合には、ステップＳ１２２に移行する。
ステップＳ１２２では、試聴機２４は、バーコードがスキャンニングされたか否かを検出する。ステップＳ１２２においてバーコードがスキャンニングされていれば、試聴モードであるＢに移行する。
お薦めモードおよび試聴モードに移行しない場合には、ステップＳ１１８に戻ってデモ用データの再生を繰り返す。
【００３６】
次に、図５のお薦めモードについて説明する。
お薦めモードは、上述したようにお薦めモードキーを押下することで移行することができ、店舗側でお薦めする音楽メディアの試聴ができるモードである。
まず、ステップＳ２００では、試聴機２４からお薦めデータをサーバ２２へ要求する。
要求を受けたサーバ２２は、ステップＳ２０２においてＨＤＤ３４内からお薦めデータを検索し、ステップ２０４においてお薦めデータを試聴機２４へ送信する。
【００３７】
ステップＳ２０６においてサーバ２２からお薦めデータを受信した試聴機２４は、ステップＳ２０８でイニシャルプログラムに基づいてお薦めデータを再生する。
次に、ステップＳ２１０では、バーコードがスキャンニングされたかあるいは、試聴モードキーが押下されたかを検出する。バーコードがスキャンニングされるか試聴モードキーが押下されていれば、Ｂの試聴モードに移行する。
【００３８】
続いて、図６の試聴モードについて説明する。
試聴モードは、顧客がバーコードリーダ５０でバーコードを読みとらせることで開始される。試聴機２４は、読み取ったバーコードをステップＳ３００においてサーバ２２へ転送する。
サーバ２２は、ステップＳ３０２において、転送されてきたバーコードに対応する実行プログラムをＨＤＤ３４内から検索する。
ステップＳ３０４では、サーバ２２は検索した実行プログラムを試聴機２４へ送信する。
【００３９】
ステップＳ３０６では、試聴機２４が送信されてきた実行プログラムを記憶手段５４内に一旦保存する。
次に、ステップＳ３０８において試聴機２４は、実行プログラムを実行する。そしてステップＳ３１０に移行して、サーバ２２に対して、実行プログラム内に記載されている、当該音楽メディアに対応する画像データを要求する。
【００４０】
画像データの要求を受けたサーバ２２は、ステップＳ３１２において、要求してきた画像データをＨＤＤ３４内から検索する。
ステップＳ３１４において、サーバ２２は、検索した画像データを試聴機２４へ送信する。
試聴機２４は、ステップＳ３１６において、送信されてきた画像データを一旦記憶手段５４内に保存する。そして引き続いて、試聴機２４は、ステップＳ３１８において、実行プログラム内に記載されている、当該音楽メディアに対応する楽曲データをサーバ２２に要求する。
【００４１】
サーバ２２は、ステップＳ３２０において試聴機２４からの要求を受けてハードディスク内から楽曲データを検索し、ステップＳ３２２において検索した楽曲データを試聴機２４へ送信する。
試聴機２４は、ステップＳ３２４において、送信されてきた楽曲データを一旦記憶手段５４内に保存し、続いてステップＳ３２６に移行して実行プログラムに基づいて画像データおよび楽曲データの再生をする。
楽曲データの再生が終了したら、Ｃへ移行する。Ｃでは、再度デモモードとなりデモ用データが繰り返し再生される。
試聴方法についての説明は以上である。
【００４２】
上述してきた試聴システムおよび試聴方法では、サーバおよび試聴機が共に店舗に設けられているものであった。
しかし、本発明の試聴システムおよび試聴方法は、このようなサーバと試聴機の配置に限定されることはなく、サーバが店舗の外（例えば、顧客は来店せずに店舗を総括する本部など）に配置されている場合であってもよい。この場合、通信回線が従来の技術で説明したような回路網（例えばインターネット）に形成されていてもよい。
さらに、１台のサーバについて複数の店舗の試聴機が接続されているように設けてもよい。
【００４３】
なお、上述してきた試聴システムおよび試聴方法では１台のサーバに対して複数台の試聴機を接続する実施形態について説明してきたが、試聴機の数は１台であっても複数台であってもよい。
【００４４】
以上本発明につき好適な実施例を挙げて種々説明したが、本発明はこの実施例に限定されるものではなく、発明の精神を逸脱しない範囲内で多くの改変を施し得るのはもちろんである。
【００４５】
【発明の効果】
本発明に係る音楽記録媒体試聴方法および音楽記録媒体試聴システムによれば、試聴機には試聴用データを再生するための実行プログラムを予め搭載しておかなくともよく、試聴機はサーバからその都度送信された実行プログラムに基づいて試聴用データの再生動作を行なうので、画面レイアウトをそれぞれの音楽に合わせて作成した実行プログラムを各音楽記録媒体ごとに作成しておけば、各音楽記録媒体ごとに様々な画面レイアウトなどにすることが可能である。
また、試聴機の再生キーなどの操作部の操作方法もそれぞれの音楽に合わせたものに様々なものに変更できる。
さらに、店舗ごとに実行プログラムの内容を変更などのカスタマイズをする場合には、１台のサーバに試聴機が複数台接続されていてもサーバ内の実行プログラムを変更すれば複数台の試聴機ごとにプログラムを変更する必要がないので、手間をかけずに容易にカスタマイズ可能であるという著効を奏する。
【図面の簡単な説明】
【図１】  本発明に係る音楽記録媒体試聴システムの全体構成を示すブロック図である。
【図２】  サーバの構成を示すブロック図である。
【図３】  試聴機の外観を示す正面図である。
【図４】  試聴機の構成を示すブロック図である。
【図５】  本発明に係る音楽記録媒体試聴方法を説明する説明図である。
【図６】  音楽記録媒体試聴方法をさらに詳細に示すフローチャートである。
【図７】  試聴機がお薦めモードになっているときの音楽記録媒体試聴方法を示すフローチャートである。
【図８】  試聴機が試聴モードになっているときの音楽記録媒体試聴方法を示すフローチャートである。
【図９】  従来の音楽記録媒体試聴システムを示すブロック図である。
【符号の説明】
１９  通信回線
２０  音楽記録媒体試聴システム
２１  音楽記録媒体
２２  サーバ
２３  店舗のバックヤード
２４  試聴機
２５  ハブ
２７  店舗
３０  サーバ本体
３１  入力手段（キーボード等）
３２  表示手段（モニタ）
３４  記憶手段（ＨＤＤ）
３６、５２  制御手段（ＣＰＵ）
３８、５６  送受信部
４０  モニタ
４２  ファンクションキー
４４  テンキー
４６  音量調節キー
４８  再生関連キー
５０  指定手段（バーコードリーダ）
５４  記憶手段（ＲＡＭ等）
５８  再生手段（モニタ・スピーカ等）
５９  操作部
【図１】
0004060030.tif 000002
【図２】
0004060030.tif 000003
【図３】
0004060030.tif 000004
【図４】
0004060030.tif 000005
【図５】
0004060030.tif 000006
【図６】
0004060030.tif 000007
【図７】
0004060030.tif 000008
【図８】
0004060030.tif 000009
【図９】
0004060030.tif 000010